(57)【要約】【課題】画像データを間引く間引き処理を行う場合、間引き処理前の色情報が反映され、画像データにおける所定の色を特定の色に置き換える特色置換を適正に行うこと。【解決手段】ユーザーインターフェイス５２と、画像データを入力する画像データ入力部５１と、画像データを印刷装置１２０に対応する解像度に変換する解像度変換部４１と、インク量データを生成する色変換部４４と、インク量データに基づいて印刷データを生成する印刷データ生成部４５と、を備え、解像度変換部４１は、ユーザーインターフェイス５２を介して、色変換部４４にて特色を特定条件に置換する特色置換を行うための特色及び特定条件を入力する色入力部４２と、画像データの解像度を第１の解像度から第１の解像度よりも低い第２の解像度に変換する間引き処理を行う場合に、特色を含む特色領域９１に対して、単純間引き処理を行う間引き処理部４３と、を有することを特徴とする。【選択図】図２
2019003240.tif 000002
【特許請求の範囲】
【請求項１】
画像データに対し画像処理を行うことで、印刷装置用の印刷データを生成する画像処理装置であって、
前記画像処理の内容をユーザーが設定するためのユーザーインターフェイスと、
前記画像データを入力する画像データ入力部と、
前記画像データを、前記印刷装置に対応する解像度に変換する解像度変換部と、
前記解像度変換部により変換された前記画像データに基づいて、インク量データを生成する色変換部と、
前記インク量データに基づいて、前記印刷データを生成する印刷データ生成部と、
を備え、
前記解像度変換部は、
前記ユーザーインターフェイスを介して、前記色変換部にて第１の色を第２の色に置換する特色置換を行うための前記第１の色及び前記第２の色を入力する色入力部と、
前記画像データの解像度を第１の解像度から前記第１の解像度よりも低い第２の解像度に変換する間引き処理を行う場合に、前記第１の色を含む所定領域に対して、単純間引き処理を行う間引き処理部と、
を有することを特徴とする画像処理装置。
【請求項２】
前記間引き処理部は、前記所定領域以外の領域に対して、平均間引き処理を行うことを特徴とする請求項１に記載の画像処理装置。
【請求項３】
前記所定領域は、前記ユーザーインターフェイスを介して設定されることを特徴とする請求項１又は請求項２に記載の画像処理装置。
【請求項４】
前記第１の色及び前記第２の色は、前記ユーザーインターフェイスを介して、前記第１の色及び前記第２の色の対応関係が予め定義されたプリセットから設定されることを特徴とする請求項１乃至請求項３の何れか一項に記載の画像処理装置。
【請求項５】
前記第１の色は、前記画像データを表す色空間に対応する表色値で表され、
前記第２の色は、前記印刷データを表す色空間に対応する表色値で表されることを特徴とする請求項１乃至請求項４の何れか一項に記載の画像処理装置。
【請求項６】
前記所定領域に罫線が含まれる場合に、ユーザーに報知する報知部を備えることを特徴とする請求項１乃至請求項５の何れか一項に記載の画像処理装置。
【請求項７】
請求項１乃至請求項６の何れか一項に記載の画像処理装置と、
印刷装置と、
を備えることを特徴とする印刷システム。
【発明の詳細な説明】
【技術分野】
【０００１】
本発明は、画像処理装置、及び当該画像処理装置を備えた印刷システムに関する。
【背景技術】
【０００２】
従来、所定の入力画像における所定の色を特定の色に置き換える色指定の技術を有するカラー画像形成装置（印刷システム）が知られている（特許文献１）。
例えば、特許文献１に記載の印刷システムでは、所定の入力画像における所定の色（Ｒ（赤）Ｇ（緑）Ｂ（青）で表現される３色グレー）を、特定の色（墨版Ｋ（黒）で表現されるグレー）に置き換える色指定（色調整）が可能である。色調整後に画像形成処理（印刷）を実行すると、墨版Ｋで色表現できるので、色味を帯びていない無彩色のグレーを形成できる。さらに、３色グレーのベタ塗りで背景を形成し、３色グレーのベタ塗りにむらが目立つ場合、墨版Ｋに置き換えて色表現を行うとむらが抑えられるとしている。
【先行技術文献】
【特許文献】
【０００３】
【特許文献１】特開平９−２８４５８４号公報
【発明の概要】
【発明が解決しようとする課題】
【０００４】
ところが、入力解像度（入力画像の解像度）に対して出力解像度（印刷解像度）が低く、入力画像のデータを間引く間引き処理を行う場合、間引き処理前の色情報が反映されず、指定した色からずれが生じて画質が劣化する場合があり、改善の余地が残されていた。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像処理装置は、画像データに対し画像処理を行うことで、印刷装置用の印刷データを生成する画像処理装置であって、前記画像処理の内容をユーザーが設定するためのユーザーインターフェイスと、前記画像データを入力する画像データ入力部と、前記画像データを、前記印刷装置に対応する解像度に変換する解像度変換部と、前記解像度変換部により変換された前記画像データに基づいて、インク量データを生成する色変換部と、前記インク量データに基づいて、前記印刷データを生成する印刷データ生成部と、を備え、前記解像度変換部は、前記ユーザーインターフェイスを介して、前記色変換部にて第１の色を第２の色に置換する特色置換を行うための前記第１の色及び前記第２の色を入力する色入力部と、前記画像データの解像度を第１の解像度から前記第１の解像度よりも低い第２の解像度に変換する間引き処理を行う場合に、前記第１の色を含む所定領域に対して、単純間引き処理を行う間引き処理部と、を有することを特徴とする。
【０００７】
画像処理装置は、画像データ入力部が取得する画像データ（以降、入力画像データと称す）に基づき印刷装置用の印刷データを生成する。入力画像データの解像度（第１の解像度）が印刷データの解像度（第２の解像度）よりも高い場合、解像度変換部の間引き処理部は、第１の解像度の入力画像データを第２の解像度の画像データ（以降、出力画像データと称す）に変換し、色変換部に出力する。色変換部は、解像度変換部の色入力部に入力された第１の色を第２の色に置換する条件に基づき、所定領域における第１の色を第２の色に置換する特色置換を行う。
例えば、入力画像データが、ラスター形式であり、第１ラスターと第２ラスターと第３ラスターと第４ラスターとからなる４本のラスターで構成され、出力画像データが２本のラスターで構成される場合、間引き処理部は、４本のラスターで構成される入力画像データを、２本のラスターで構成される出力画像データに間引く間引き処理を行う。
【０００８】
間引き処理部が行う単純間引き処理とは、第１ラスターと第２ラスターと第３ラスターと第４ラスターとで構成される入力画像データを、第１ラスターと第３ラスターとで構成される出力画像データに間引く処理、又は第２ラスターと第４ラスターとで構成される出力画像データに間引く処理である。単純間引き処理で作成された出力画像データは、入力画像データが反映されるので、入力画像データと異なるデータに置き換えられることはない。
単純間引き処理がなされた所定領域は、第１の色が第１の色と異なる色のデータに置き換えられることはないので、単純間引き処理がなされた所定領域において、第１の色は、色変換部によって第２の色に置換される。すなわち、色変換部は、単純間引き処理された所定領域において、第１の色を第２の色に置換する特色置換を適正に行うことができるので、指定した色（目的とする色）からずれが生じて画質が劣化するという不具合が生じにくい。
【０００９】
間引き処理部が行う平均間引き処理とは、第１ラスターと第２ラスターと第３ラスターと第４ラスターとで構成される入力画像データを、第１ラスター及び第２ラスターを平均した新たなラスターと、第３ラスター及び第４ラスターを平均した新たなラスターとで構成される出力画像データに間引く処理である。
新たなラスターが入力画像データのラスターと同じである場合、平均間引き処理で作成された出力画像データは、入力画像データと異なるデータに置き換えられることはない。この場合、平均間引き処理された所定領域において、色変換部は、単純間引き処理された所定領域と同様に、第１の色を第２の色に置換する特色置換を適正に行うことができる。
一方、新たなラスターが入力画像データのラスターと異なる場合、平均間引き処理で作成された出力画像データは、入力画像データと異なるデータに置き換えられる。すなわち、所定領域の第１の色が、平均間引き処理によって第１の色と異なる色のデータに置き換えられる。この場合、平均間引き処理された所定領域において、色変換部は、第１の色を第２の色に置換する特色置換を適正に行うことができず、目的とする色からずれが生じて画質が劣化するという不具合が生じやすい。
【００１０】
従って、特色置換を行う所定領域に対しては、画質が劣化しやすい平均間引き処理よりも、画質が劣化しにくい単純間引き処理の方が好ましい。すなわち、間引き処理部は、所定領域に対して単純間引き処理を行うことが好ましい。
【００１１】
［適用例２］上記適用例に係る画像処理装置では、前記間引き処理部は、前記所定領域以外の領域に対して、平均間引き処理を行うことが好ましい。
【００１２】
第１ラスターと第２ラスターと第３ラスターと第４ラスターとで構成される入力画像データを、単純間引き処理によって、第１ラスターと第３ラスターとで構成される出力画像データに間引き、第２ラスターが罫線パターン（罫線）である場合、単純間引き処理された出力画像データに罫線（第２ラスター）の情報が含まれない。第１ラスターと第２ラスターと第３ラスターと第４ラスターとで構成される入力画像データを、単純間引き処理によって、第２ラスターと第４ラスターとで構成される出力画像データに間引き、第２ラスターが罫線パターン（罫線）である場合、単純間引き処理された出力画像データに罫線（第２ラスター）の情報が含まれる。
このように、単純間引き処理された出力画像データでは、罫線（第２ラスター）の情報が含まれず、罫線が失われるおそれがある。
【００１３】
第１ラスターと第２ラスターと第３ラスターと第４ラスターとで構成される入力画像データを、平均間引き処理によって、第１ラスター及び第２ラスターを平均した新たなラスターと、第３ラスター及び第４ラスターを平均した新たなラスターとで構成される出力画像データに間引き、第２ラスターが罫線パターン（罫線）である場合、第１ラスター及び第２ラスターを平均した新たなラスターに第２ラスターの情報（罫線）が反映されるので、平均間引き処理された出力画像データに罫線（第２ラスター）の情報が含まれる。
さらに、特色置換の必要がない場合、色変換部は、デフォルトで設定されている条件によって、平均間引き処理がなされた出力画像データに対して適正に色変換処理を行うことができるので、特色置換の必要がない所定領域以外の領域において画質が劣化する不具合が生じにくい。
従って、特色置換の必要がない所定領域以外の領域に対しては、罫線が失われるおそれがある単純間引き処理よりも、罫線が失われない平均間引き処理の方が好ましい。すなわち、間引き処理部は、所定領域以外の領域に対して平均間引き処理を行うことが好ましい。
【００１４】
［適用例３］上記適用例に係る画像処理装置では、前記所定領域は、前記ユーザーインターフェイスを介して設定されることが好ましい。
【００１５】
第１の色を第２の色に置き換える特色置換は、例えばコーポレートカラーのように所定領域（例えば、会社のロゴマークが配置される領域）に適用され、特色置換された所定領域を目立ちやすくする。ところが、第１の色の汎用性が高く、所定領域以外に第１の色が含まれる場合、所定領域以外の領域においても特色置換が行われる。このため、特色置換された所定領域を目立ちやすくすることが難しくなる場合がある。
ユーザーインターフェイスを介して所定領域（特色置換する領域）が設定できると、所定領域以外の領域において特色置換を行わず、所定領域に対してのみ特色置換を行うことができる。このため、第１の色の汎用性が高い場合であっても、特色置換された所定領域を目立ちやすくすることができる。
【００１６】
［適用例４］上記適用例に係る画像処理装置では、前記第１の色及び前記第２の色は、前記ユーザーインターフェイスを介して、前記第１の色及び前記第２の色の対応関係が予め定義されたプリセットから設定されることが好ましい。
【００１７】
ユーザーインターフェイスを介して、第１の色及び第２の色の対応関係が予め定義されたプリセットが設定可能であると、色々な色に対して特色置換の条件を設定でき、色々な色に対して適正に特色置換を行うことができる。
【００１８】
［適用例５］上記適用例に係る画像処理装置では、前記第１の色は、前記画像データを表す色空間に対応する表色値で表され、前記第２の色は、前記印刷データを表す色空間に対応する表色値で表されることが好ましい。
【００１９】
画像データを表す色空間に対応する表色値で表される第１の色を、印刷データを表す色空間に対応する表色値で表される第２の色に置換して印刷データを作成すると、当該印刷データによって、目的とする色（第２の色）が印刷された印刷物を得ることができる。
【００２０】
［適用例６］上記適用例に係る画像処理装置では、前記所定領域に罫線が含まれる場合に、ユーザーに報知する報知部を備えることが好ましい。
【００２１】
所定領域に罫線が含まれる場合にユーザーに報知する報知部を備えると、所定領域を単純間引き処理する場合に、所定領域における罫線が失われるおそれがあることを、ユーザーに報知することができる。
例えば、所定領域における罫線が重要な要素であり、所定領域から罫線を失いたくない場合、報知部からの報知によって、所定領域における単純間引き処理を中止し、他の間引き処理（例えば、平均間引き処理）に置き換えて、所定領域から罫線が失われることを防止することができる。
【００２２】
［適用例７］本適用例に係る印刷システムは、上記適用例に記載の画像処理装置と、印刷装置と、を備えることを特徴とする。
【００２３】
上記適用例に記載の画像処理装置は、所定領域において画質が劣化しにくい単純間引き処理が行われ、所定領域以外の領域において罫線が失われない平均間引き処理が行われるので、高品質の印刷が可能な印刷データを作成することができる。従って、上記適用例に記載の画像処理装置と、印刷装置とを備える印刷システムは、高品質の印刷を行うことができる。
【図面の簡単な説明】
【００２４】
【図１】実施形態に係る印刷システムの概要を示す概略図。
【図２】実施形態に係る印刷システムのブロック図。
【図３】特色のＲＧＢ値及び特定条件を登録する登録画面の状態を示す概略図。
【図４】特色を含む画像データの一例。
【図５】間引き処理前の特色領域の状態を示す模式図。
【図６】間引き処理後の特色領域の状態を示す模式図。
【図７】間引き処理後の特色領域の状態を示す模式図。
【図８】間引き処理後の特色領域の状態を示す模式図。
【発明を実施するための形態】
【００２５】
以下、図面を参照して、本発明の実施形態について説明する。かかる実施形態は、本発明の一態様を示すものであり、この発明を限定するものではなく、本発明の技術的思想の範囲内で任意に変更可能である。また、以下の各図においては、各層や各部位を図面上で認識可能な程度の大きさとするため、各層や各部位の縮尺を実際とは異ならせしめてある。
【００２６】
（実施形態）
「印刷システムの概要」
図１は、実施形態に係る印刷システムの概要を示す概略図である。図２は、本実施形態に係る印刷システムのブロック図である。
最初に、図１及び図２を参照し、本実施形態に係る印刷システム１００の概要を説明する。
【００２７】
図１に示すように、本実施形態に係る印刷システム１００は、パーソナルコンピューター等の画像生成装置１３０（図２参照）から受信した画像データに対し画像処理を行うことで印刷装置１２０用の印刷データを生成する画像処理装置１１０と、画像処理装置１１０が作成した印刷データに基づいて媒体７に画像を印刷する印刷装置１２０とを備える。
【００２８】
印刷装置１２０は、ロール状に巻かれた長尺な媒体７を繰り出しつつ、媒体７に対してインクジェット方式を用いて画像を印刷するものであり、略直方体形状の本体ケース１を備える。
本体ケース１の内部には、印刷装置１２０の各部を制御するプリンター制御部１０と、ロール状に巻かれたロール体Ｒ１から媒体７を繰り出す繰出部２と、繰出部２から繰り出された媒体７にインクを吐出して印刷を行う印刷部３と、インクが付着した媒体７を乾燥させる乾燥部４と、乾燥後の媒体７をロール体Ｒ２としてロール状に巻き取る巻取部５と、インクカートリッジＣＲと、メンテナンス部９とが配置されている。
【００２９】
本体ケース１の内部は、水平面に沿って配置された平板状の基台６によって上下に区画されている。基台６の上側には、インクカートリッジＣＲ、メンテナンス部９、印刷部３などが配置されている。基台６の下側には、繰出部２、乾燥部４及び巻取部５が配置されている。
繰出部２は、プラテン３０に対して左斜め下側に配置されており、媒体７がロール状に巻かれたロール体Ｒ１を保持する回転自在な保持軸２１を備えている。さらに、繰出部２は、保持軸２１の上側に位置するローラー２２及び繰出ローラー２３を備える。
ロール体Ｒ１から巻き解かれた媒体７は、ローラー２２及び繰出ローラー２３にこの順番で張架される。繰出ローラー２３は、モーター（図示省略）から駆動力を受けて回転する駆動ローラーである。そして、繰出ローラー２３は、保持軸２１から引き出された媒体７を巻き掛けた状態で回転することで、媒体７を繰り出す機能を果たす。また、繰出ローラー２３による媒体７の繰り出しを確実に実施できるように、繰出ローラー２３に向けて付勢された押圧ローラー２４が設けられている。
【００３０】
一方、巻取部５は、プラテン３０に対して右斜め下側に配置されており、回転自在な巻取軸１９を備えている。巻取軸１９は、媒体７が巻き取られたロール体Ｒ２を支持する。
乾燥部４は、繰出部２と巻取部５との間で、プラテン３０の直下に配置されている。繰出部２から繰り出された媒体７は、１０本のローラー７０〜７９で構成されるシート搬送部８により案内されながら、印刷部３と乾燥部４とを順番に通過し、巻取部５に巻き取られる。そして、媒体７に対して、印刷部３での印刷処理や乾燥部４での乾燥処理が施される。
【００３１】
インクカートリッジＣＲには、シアン（Ｃ）のインク、マゼンタ（Ｍ）のインク、イエロー（Ｙ）のインク、ブラック（Ｋ）のインク、オレンジ（Ｏｒ）のインク、グリーン（Ｇｒ）のインク、透明（ＣＬ）のインクからなる７種類のインクが貯留されている。なお、インクカートリッジＣＲに貯留されるインクの数は、７種類に限定されず、７種類より少なくてもよいし、７種類より多くてもよい。
【００３２】
印刷部３は、プラテン３０や記録ユニット３１などを有している。プラテン３０は、基台６の上面に固定され、矩形状を有し、水平面に平行な上面によって、媒体７を下側から支持する。記録ユニット３１は、キャリッジ３２と、キャリッジ３２の下面に取り付けられた平板状の支持板３３と、支持板３３の下面に取り付けられた複数の記録ヘッド３４とを有している。印刷部３における印刷処理は、プラテン３０の上側に配置された記録ユニット３１により実施される。記録ユニット３１では、プラテン３０に対して左側に配置されたインクカートリッジＣＲからインク供給機構（図示省略）によって供給されたインクを、記録ヘッド３４のノズル３５から吐出し、媒体７に画像を印刷する。
【００３３】
キャリッジ３２は、支持板３３及び記録ヘッド３４と一体的に移動自在となっている。具体的には、印刷部３には、一方向（主走査方向）に延びる第１ガイドレール３６が設けられており、キャリッジ３２は、第１ガイドレール３６に沿って移動する。さらに、印刷部３には、主走査方向と交差する方向（副走査方向）に延びる第２ガイドレール（図示省略）が設けられており、第２ガイドレールに沿って副走査方向に移動する。
そして、プラテン３０の上面で停止する媒体７に対して、記録ユニット３１のキャリッジ３２を二次元的に移動させて、媒体７に画像を印刷する印刷が実施される。
【００３４】
具体的には、記録ユニット３１は、キャリッジ３２を主走査方向に移動させつつ記録ヘッド３４のノズル３５から媒体７にインクが吐出される動作（主走査）と、キャリッジ３２（記録ヘッド３４）を主走査方向と交差する副走査方向に移動させる動作（副走査）とを交互に繰り返し、印刷解像度に応じたＭ回の主走査を行うことで１回（１フレーム）の印刷を行い、媒体７に１フレームの画像を形成する。
換言すれば、記録ヘッド３４のノズル３５からインクをインク滴として吐出し、インク滴を媒体７の目標位置に着弾させ、目標位置にドットを形成する。主走査方向に移動させつつ記録ヘッド３４のノズル３５から媒体７にインクを吐出する主走査によって、目標位置に形成されたドットが主走査方向に配列されたドットの列を形成する。さらに、主走査と副走査とを交互に繰り返し、主走査方向に配列されたドットの列を副走査方向に並べて、媒体７に１フレームの画像を形成する。
以降の説明では、１フレームの画像を成果物と称す場合がある。
【００３５】
プラテン３０の上面に停止する媒体７の印刷面に１フレームの画像が形成されると、媒体７が搬送方向に間欠搬送され、媒体７の未印刷面がプラテン３０の上面に配置される。続いて、媒体７の未印刷面に新たな１フレームの印刷が実施され、媒体７の未印刷面に１フレームの画像が形成される。媒体７の未印刷面に１フレームの画像が形成されると、再び媒体７が搬送方向に間欠搬送され、媒体７の未印刷面がプラテン３０の上面に配置される。そして、これら一連の動作が繰り返し実施され、媒体７に対して、１フレームの画像が繰り返し形成される。
このように、印刷装置１２０は、媒体７に１フレームの印刷を行う動作と、１フレームの印刷が終了した後に媒体７を間欠搬送する動作とを繰り返し、媒体７に１フレームの画像（成果物）を繰り返し形成する。
【００３６】
プラテン３０の上面には、多数の吸引孔（図示省略）が開口するとともに、プラテン３０の下面には、吸引部３７が取り付けられている。そして、吸引部３７が動作することで、プラテン３０の上面の吸引孔に負圧が発生して、媒体７がプラテン３０の上面に吸引される。そして、吸引部３７は、印刷のために媒体７がプラテン３０上に停止している間は、媒体７を吸引することで、媒体７を平坦に保つ一方、１フレームの印刷が終了すると、媒体７の吸引を止めて、媒体７のスムーズな搬送を可能とする。
プラテン３０の下面には、ヒーター３８が取り付けられている。プラテン３０は、ヒーター３８によって、概略３５℃〜４５℃に加熱されている。記録ヘッド３４からインクが吐出された媒体７は、プラテン３０の熱によって一次乾燥される。この一次乾燥によって、媒体７に着弾したインクを一次乾燥させ、例えば媒体７の目標位置に着弾したインクが広がり、隣の目標位置に着弾したインクと干渉するという不具合が抑制される。
【００３７】
こうして、プラテン３０の上面において、１フレームの印刷を受けるとともに一次乾燥された媒体７は、間欠搬送によって移動し、乾燥部４の中に搬入される。そして、印刷部３において、媒体７の未印刷面に新たな１フレームの印刷が実施されている間、１フレームの印刷がなされた媒体７は、乾燥部４の中に滞留し、温風送風機構１４によって加熱された空気が供給され、媒体７の印刷面に着弾したインクを完全に乾燥させる乾燥処理が実施される。
そして、乾燥部４において乾燥処理を受けた媒体７は、間欠搬送によって移動し、巻取部５に到達して、ロール体Ｒ２として巻取部５に巻き取られる。
【００３８】
図２に示すように、画像処理装置１１０は、ホスト制御部４０と、画像データを入力する画像データ入力部５１と、画像処理の内容をユーザーが設定するためのユーザーインターフェイス５２と、記憶部５３とを備えている。ホスト制御部４０、画像データ入力部５１、ユーザーインターフェイス５２、及び記憶部５３は、バス５５を通じて互いに接続されている。
さらに、ホスト制御部４０は、バス５６を通じてプリンター制御部１０に接続されている。
画像データ入力部５１は、例えば、ＬＡＮ（Local Area Network）インターフェイスやＵＳＢ（Universal Serial Bus）インターフェイスなど、外部電子機器を接続できるインターフェイスである。画像データ入力部５１は、例えばパーソナルコンピューター等の情報処理装置により構成された画像生成装置１３０が生成する印刷用の画像データを受信し、解像度変換部４１に画像データを送信する。
【００３９】
ユーザーインターフェイス５２は、例えば、タッチパネルを有する液晶表示装置で構成される。ユーザーインターフェイス５２には、画像生成装置１３０から受け取る画像データ、印刷装置１２０で印刷する画像、印刷ジョブに関係する情報などが表示される。
記憶部５３は、所定の情報を読み出し可能に記憶するＲＯＭ、各種の情報を書き込み／読み出し可能に記憶するＲＡＭなどを備える。記憶部５３には、印刷制御に必要な各種コンピュータープログラムや各種情報が格納されている。
【００４０】
ホスト制御部４０は、画像処理装置１１０、または印刷装置１２０のＣＰＵがＲＯＭ、ＲＡＭからソフトウェア（プログラム）を読み出し実行することによりそれぞれ実現される機能部分として、印刷装置１２０に対応する解像度に変換する解像度変換部４１、解像度変換部により変換された画像データに基づいてインク量データを生成する色変換部４４、インク量データに基づいて印刷データを生成する印刷データ生成部４５などを備えている。さらに、解像度変換部４１は、色入力部４２及び間引き処理部４３を備えている。
【００４１】
解像度変換部４１の間引き処理部４３は、画像生成装置１３０から受け取る画像データの解像度が高く、印刷データ生成部４５が生成する印刷データの解像度（印刷解像度）が低い場合に、画像データの解像度が印刷解像度と同等の解像度となるように、画像生成装置１３０から受け取る画像データを間引く間引き処理を行う。
解像度変換部４１の色入力部４２には、特色置換を行うためのプリセットが登録されている。
なお、画像生成装置１３０から受け取る画像データの解像度は「第１の解像度」の一例であり、解像度変換部４１によって間引き処理された画像データの解像度は「第２の解像度」の一例であり、印刷データの解像度（印刷解像度）と同等である。
以降の説明では、画像生成装置１３０から受け取る画像データ（図４に示す画像データ９０）において、主走査方向の解像度は７２０ｄｐｉであり、副走査方向の解像度は７２０ｄｐｉであるとする。印刷データの主走査方向の解像度は７２０ｄｐｉであり、印刷データの副走査方向の解像度は３６０ｄｐｉであるとする。また、画像生成装置１３０から受け取る画像データの解像度を７２０×７２０ｄｐｉと称し、解像度変換部４１によって間引き処理された画像データの解像度（印刷データの解像度）を７２０×３６０ｄｐｉと称す場合がある。
間引き処理部４３は、画像生成装置１３０から受け取る画像データの解像度（７２０×７２０ｄｐｉ）を、画像データの解像度が印刷解像度と同等の解像度（７２０×３６０ｄｐｉ）となるように、画像生成装置１３０から受け取る画像データを間引く間引き処理を行う。
【００４２】
画像生成装置１３０から受け取る画像データは、レッド（Ｒ）、グリーン（Ｇｒ）、ブルー（Ｂ）の色成分からなるＲＧＢデータである。解像度変換部４１によって解像度変換された画像データもＲＧＢの３つの色成分からなるＲＧＢデータである。すなわち、画像データを表す色空間は、ＲＧＢ色空間である。画像生成装置１３０から受け取る画像データ及び解像度変換された画像データは、ＲＧＢ色空間における座標値（ＲＧＢ値）で表される。
なお、画像生成装置１３０から受け取る画像データ及び解像度変換部４１によって解像度変換された画像データは、シアン（Ｃ）、マゼンタ（Ｍ）、イエロー（Ｙ）、ブラック（Ｋ）の色成分からなるＣＹＭＫデータであってもよい。すなわち、画像データを表す色空間は、ＣＹＭＫ色空間であってもよい。
【００４３】
色変換部４４は、解像度変換部４１によって解像度変換されたＲＧＢデータをＣＭＹＫ色空間のデータに変換する色変換処理を実施する。すなわち、色変換部４４は、ＲＧＢデータに基づいて、ＣＭＹＫ色空間の画像データを生成する。
色変換処理後のＣＭＹＫ色空間の画像データは、印刷装置１２０が有するインクの色に対応したデータであり、印刷システム１００における７種類のインクに対応するインク量データである。この色変換処理は、ＲＧＢデータの階調値とＣＭＹＫ色系データの階調値とを対応づけたテーブル（色変換ルックアップテーブル）に基づいて行われる。なお、色変換処理後のインク量データは、ＣＭＹＫ色空間により表される例えば２５６階調のＣＭＹＫ色系データである。
【００４４】
印刷データ生成部４５は、色変換部４４から受け取るインク量データ（２５６階調のＣＭＹＫ色系データ）を、印刷装置１２０が形成可能な階調数のデータに変換するハーフトーン処理を実施する。このハーフトーン処理により、２５６階調を示すデータが、例えば、２階調（ドット有り、無し）を示す１ビットデータや、４階調（ドット無し、小ドット、中ドット、大ドット）を示す２ビットデータに変換される。具体的には、階調値（０〜２５５）とドット生成率が対応したドット生成率テーブルから、階調値に対応するドットの生成率（例えば、４階調の場合は、ドット無し、小ドット、中ドット、大ドットのそれぞれの生成率）を求め、得られた生成率において、ディザ法・誤差拡散法などを利用して、ドットが分散して形成されるように画素データが作成される。
さらに、印刷データ生成部４５は、ハーフトーン処理で作成された画素データを、印刷装置１２０に転送すべきデータ順に並べ替え、印刷データを作成するラスタライズ処理を実施する。印刷データは、各主走査時のドットの形成状態を示すラスターデータと、副走査送り量（キャリッジ３２を副走査方向に移動させる距離）を示すデータと、を含んでいる。
【００４５】
さらに、プリンター制御部１０は、ホスト制御部４０から印刷データを読み込み、繰出部２、印刷部３、乾燥部４、巻取部５、及びシート搬送部８を制御し、媒体７に１フレームの印刷を行う動作と、媒体７を間欠搬送する動作とを繰り返し、媒体７に成果物を繰り返し形成する。
【００４６】
「特色置換の概要」
図３は、特色のＲＧＢ値及び特色を実現可能なインク量データ（以降、特定条件と称す）を登録する画面（以降、登録画面と称す）の状態を示す概略図であり、ユーザーインターフェイス５２に表示される。図３では、必要な情報が入力された登録画面の状態が図示されている。
次に、図３を参照し、特色置換の概要を説明する。
【００４７】
例えば、会社名の色（コーポレートカラー）は、会社を象徴する重要な色であり、当該コーポレートカラーを厳密に実現する（印刷する）色合わせが必要になる。例えば、商品のロゴマーク（シンボルマーク）の色も、商品を象徴する重要な色であり、同様の色合わせが必要になる。このように、媒体７に形成される成果物の色には、コーポレートカラーやシンボルマークの色のように、ユーザーがこだわりを持つ色（以降、特色と称す）が存在する。
【００４８】
ところが、画像データに特色が含まれる場合、色変換部４４が色変換ルックアップテーブルによってデフォルトで作成するインク量データ（以降、標準条件と称す）によって、成果物において特色が実現されない場合がある。このため、画像処理装置１１０では、ユーザーによって予め評価された特色を実現するインク量データ（以降、特定条件と称す）が解像度変換部４１の色入力部４２に入力（登録）され、色変換部４４は、画像データに特色が含まれる場合、標準条件でなく、予め登録された特定条件に基づき、インク量データを作成する。その結果、印刷装置１２０は、特定条件に基づき成果物を形成するので、成果物において特色を実現することができる。
すなわち、画像データに特色が含まれ、色変換部４４がデフォルトで作成する標準条件では成果物において特色を実現できない場合に、ユーザーは特色を実現する特定条件を色入力部４２に予め登録し、色変換部４４は予め登録された特定条件からインク量データを作成する。そして、印刷装置１２０は、色変換部４４が特定条件から作成したインク量データに基づく印刷データによって、成果物において特色を実現することができる。
なお、画像データに含まれる特色は、「第１の色」の一例である。色入力部４２に登録された特色を実現するインク量データ（特定条件）は、「第２の色」の一例である。そして、色変換部４４は、画像データに含まれる特色（第１の色）を特定条件（第２の色）に置き換える特色置換を行う。
また、「第１の色」の一例である特色は、画像データを表す色空間（ＲＧＢ色空間）に対応する表色値（ＲＧＢ色空間における座標値（ＲＧＢ値））で表され、「第２の色」の一例である色変換部４４が作成する特定条件（インク量データ）は、印刷データを表す色空間（ＣＭＹＫ色空間）に対応する表色値（ＣＭＹＫ色系データ）で表される。
【００４９】
図３に示すように、登録画面には、登録済みの特色一覧を表示する領域Ａと、登録する特色名を入力する領域Ｂと、特色Ｎｏを入力する領域Ｃと、画像データにおける特色のＲＧＢ値を入力する領域Ｄと、印刷装置１２０において特色を実現可能なインク量データ（特定条件）を入力する領域Ｅと、新規登録画面を読み出すアイコンＦと、登録済みの条件を削除するアイコンＧと、特色のＲＧＢ値と特定条件とを新規に登録するアイコンＨとが、ユーザーインターフェイス５２に表示される。
そして、登録画面に入力された特色（第１の色）と特色を実現する特定条件（第２の色）とが、特定Ｎｏ（特色名）に紐付けられて、色入力部４２に登録される。なお、色入力部４２に登録される内容（特色のＲＧＢ値、特定条件）は、「第１の色及び第２の色の対応関係が予め定義されたプリセット」の一例である。本実施形態では、第１の色及び第２の色の対応関係が予め定義されたプリセットが、ユーザーインターフェイス５２の登録画面を介して色入力部４２に登録（設定）されるようになっている。
換言すれば、解像度変換部４１は、ユーザーインターフェイス５２を介して、色変換部４４にて特色（第１の色）を特定条件（第２の色）に置換する特色置換を行うための特色及び特定条件を入力する色入力部４２を有している。さらに、特色（第１の色）及び特定条件（第２の色）は、ユーザーインターフェイス５２を介して、特色及び特定条件の対応関係が予め定義されたプリセットから設定される。
【００５０】
画像データのＲＧＢ値は、０〜２５５までの２５６段階の数値であり、数値が２５５のときに、その色の光の量が１００％になる。また、Ｒ、Ｇ、Ｂの各色を０〜２５５の値で指定すると、値の組み合わせによって色を表現することができる。例えば、Ｒ（赤色）のＲＧＢ値は（２５５、０、０）であり、Ｇ（緑色（グリーン））のＲＧＢ値は（０、２５５、０）であり、Ｂ（青色）のＲＧＢ値は（０、０、２５５）であり、Ｗ（白色）のＲＧＢ値は（２５５、２５５、２５５）である。
以降の説明では、画像データに含まれる特色のＲＧＢ値は、（１００、１２０、８０）であるとする。
【００５１】
色変換部４４によって色変換処理されたインク量データは、ＣＭＹＫ色空間により表される例えば２５６階調のＣＭＹＫ色系データである。詳しくは、インク量データは、Ｃ（シアン）、Ｍ（マゼンタ）、Ｙ（イエロー）、Ｋ（ブラック）、Ｏｒ（オレンジ）、Ｇｒ（グリーン）、及びＣＬ（クリアー）の各色のインクに対して、０〜２５５までの２５６段階で区分された数値で表されている。例えば、インク量データ（２５５、０、０、０、０、０、０）は、最大吐出量でＣ（シアン）のインクだけを吐出することを意味する。インク量データ（０、２５５、０、０、０、０、０）は、最大吐出量でＭ（マゼンタ）のインクだけを吐出することを意味する。インク量データ（０、０、２５５、０、０、０、０）は、最大吐出量でＹ（イエロー）のインクだけを吐出することを意味する。インク量データ（０、０、０、２５５、０、０、０）は、最大吐出量でＫ（ブラック）のインクだけを吐出することを意味する。インク量データ（０、０、０、０、２５５、０、０）は、最大吐出量でＯｒ（オレンジ）のインクだけを吐出することを意味する。インク量データ（０、０、０、０、０、２５５、０）は、最大吐出量でＧｒ（グリーン）のインクだけを吐出することを意味する。インク量データ（０、０、０、０、０、０、２５５）は、最大吐出量でＣＬ（クリアー）のインクだけを吐出することを意味する。
以降の説明では、印刷装置１２０において特色を実現可能な特定条件（インク量データ）は、（０、２５５、０、０、０、０、１０）であるとする。
【００５２】
第１の色及び第２の色の対応関係が予め定義されたプリセットを設定する場合、最初にアイコンＦにタッチし、新規登録画面を呼び出す。新規登録画面では、領域Ａに登録済みの条件（特色一覧）が表示され、領域Ｂ〜領域Ｅは未入力の状態で表示される。そして、領域Ｂに特色名Ｘ１を入力し、領域Ｃに特色Ｎｏ１を入力する。特色名Ｘ１や特色Ｎｏ１によって、登録されたプリセットが選択可能になる。
【００５３】
次に、領域Ｄに画像データにおける特色のＲＧＢ値を入力する。本実施形態では、画像データにおける特色のＲＧＢ値は、（１００、１２０、８０）であるので、領域ＤにＲ値＝１００、Ｇ値＝１２０、Ｂ値＝８０を入力する。
【００５４】
次に、領域Ｅに特色を実現可能な特定条件を入力する。本実施形態では、特色を実現可能な特定条件は（０、２５５、０、０、０、０、１０）であるので、領域ＥにＣ（シアン）のインク量データ＝０、Ｍ（マゼンタ）のインク量データ＝２５５、Ｙ（イエロー）のインク量データ＝０、Ｋ（ブラック）のインク量データ＝０、Ｏｒ（オレンジ）のインク量データ＝０、Ｇｒ（グリーン）のインク量データ＝０、及びＣＬ（クリアー）のインク量データ＝１０を入力する。
【００５５】
最後に、アイコンＨにタッチし、特色のＲＧＢ値（１００、１２０、８０）、及び特定条件（０、２５５、０、０、０、０、０）を、特色Ｎｏ１（特色名Ｘ１）として、解像度変換部４１の色入力部４２に登録する。
【００５６】
特色Ｎｏ１（特色名Ｘ１）として色入力部４２に登録されるプリセット（特色のＲＧＢ値、特定条件）は、テストパターン（カラーパッチ）を作成し、当該カラーパッチを実際に評価することによって求められる。具体的には、特色に対応する標準条件（標準のインク量データ）に対して条件を変更し、媒体７にカラーパッチを作成する。次に、カラーパッチを、測色器又は目視で評価することによって、印刷装置１２０において特色を実現可能な特定条件（インク量データ）を求める。そして、特色を実現可能な特定条件を領域Ｅに入力し、特定条件に対応する特色のＲＧＢ値を領域Ｄに入力する。
【００５７】
本実施形態では、カラーパッチの作成と、カラーパッチの評価と、特色のＲＧＢ値及び特定条件の登録とは、ユーザーによって行われる。
なお、カラーパッチの作成と、カラーパッチの評価と、特色のＲＧＢ値及び特定条件の登録とは、ユーザーによって行われるのでなく、印刷システム１００の製造工場において行われてもよい。すなわち、印刷システム１００の製造工場において、特色のＲＧＢ値及び特定条件を求め、印刷システム１００の機体ごとに登録する構成であってもよい。
【００５８】
「間引き処理の概要」
図４は、特色を含む画像データの一例である。図５は間引き処理前の特色領域の状態を示す模式図であり、図６乃至図８は間引き処理後の特色領域の状態を示す模式図である。尚、図４では、破線で囲まれた領域が、特色が配置される特色領域９１である。
次に、図４乃至図８を参照し、解像度変換部４１の間引き処理部４３が画像データ９０の特色を含む特色領域９１において実施する間引き処理の概要を説明する。
【００５９】
図４に示すように、画像データ９０は、図中に破線で囲まれた特色領域９１と、通常領域９３とを有する。特色領域９１は、「所定領域」の一例であり、画像データ９０におけるシンボルマーク９２が配置される領域（特色が含まれる領域）である。通常領域９３は、「所定領域以外の領域」の一例であり、画像データ９０における特色領域９１以外の領域である。
特色領域９１には、会社のシンボルマーク９２が配置されており、シンボルマーク９２の色がコーポレートカラーであり、ユーザーがこだわりを持つ特色である。また、特色領域９１における特色のＲＧＢ値、及び特色を実現可能な特定条件は、特色Ｎｏ１（特色名Ｘ１）として色入力部４２に登録されたプリセット（特色のＲＧＢ値、特定条件）である。すなわち、特色領域９１における特色のＲＧＢ値は（１００、１２０、８０）であり、特色を実現可能な特定条件は（０、２５５、０、０、０、０、０）である。
以降の説明では、特色のＲＧＢ値（１００、１２０、８０）を色座標αと称す。さらに、特色のＲＧＢ値（１００、１２０、８０）と白色のＲＧＢ値（２５５，２５５，２５５）とを平均したＲＧＢ値（１７８、１８８、１６８）を色座標βと称す。
【００６０】
図５乃至図８において、横方向が主走査方向Ｓ１であり、縦方向が副走査方向Ｓ２である。さらに、図５乃至図８において実線で区画された領域は、画像データ９０の特色を含む特色領域９１における色の基本単位を示す。画像生成装置１３０から受け取る画像データ９０は、レッド（Ｒ）、グリーン（Ｇｒ）、ブルー（Ｂ）の色成分からなるＲＧＢデータであり、Ｒ画素とＧ画素とＢ画素とで構成される画素ユニットが、画像データ９０の特色を含む特色領域９１における色の基本単位になる。
一方、印刷装置１２０では、Ｃ（シアン）のドットとＭ（マゼンタ）のドットとＹ（イエロー）のドットとＫ（ブラック）のドットとＯｒ（オレンジ）のドットとＧｒ（グリーン）のドットとＣＬ（クリアー）のドットとが基本単位となって、フルカラーの成果物が形成される。このため、画像データ９０における色の基本単位は、成果物におけるＣ（シアン）のドットとＭ（マゼンタ）のドットとＹ（イエロー）のドットとＫ（ブラック）のドットとＯｒ（オレンジ）のドットとＧｒ（グリーン）のドットとＣＬ（クリアー）のドットとで構成される基本単位に対応する。
【００６１】
以降の説明では、画像データ９０の特色を含む特色領域９１における色の基本単位をカラー画素Ｐと称す。すなわち、図５乃至図８において実線で区画された領域は、カラー画素Ｐ（色の基本単位）である。さらに、記号αを有する実線で区画された領域は、色座標αのカラー画素Ｐであり、記号βを有する実線で区画された領域は、色座標βのカラー画素Ｐであり、記号を有していない実線で区画された領域は、白色のカラー画素Ｐである。
さらに、図５乃至図８における、画像データ９０の特色を含む特色領域９１には、カラー画素Ｐが主走査方向Ｓ１及び副走査方向Ｓ２に沿ってマトリクス状に複数配置されている。
説明を分かりやすくするために、間引き処理前の画像データ９０の特色を含む特色領域９１（図５に示す特色領域９１）において、主走査方向Ｓ１に沿って配置されるカラー画素Ｐの数は８個であり、副走査方向Ｓ２に沿って配置されるカラー画素Ｐの数は８個であるとする。また、図５における符号Ｌｎは、主走査方向Ｓ１に沿って配置された８個のカラー画素Ｐの列であり、以降、カラー画素列Ｌｎと称す。
【００６２】
間引き処理とは、画像生成装置１３０から受け取る画像データ９０の解像度が高く、印刷データ生成部４５が生成する印刷データの解像度（印刷解像度）が低い場合に、解像度変換部４１の間引き処理部４３が、画像データ９０の解像度が印刷解像度と同等の解像度となるように、画像生成装置１３０から受け取る画像データ９０の一部を間引く処理である。
上述したように、画像データ９０の主走査方向の解像度は７２０ｄｐｉであり、画像データ９０の副走査方向の解像度は７２０ｄｐｉであり、印刷データの主走査方向の解像度は７２０ｄｐｉであり、印刷データの副走査方向の解像度は３６０ｄｐｉであるので、解像度変換部４１の間引き処理部４３は、画像データ９０における主走査方向のデータを半分に間引く間引き処理を行う。
画像データ９０の特色を含む特色領域９１では、解像度変換部４１の間引き処理部４３は、図５に示す８個のカラー画素列Ｌｎ（主走査方向のデータ）が配置された状態から、図６乃至図８に示す４個のカラー画素列Ｌｎ（主走査方向のデータ）が配置された状態に間引く間引き処理を行う。
【００６３】
図５に示すように、間引き処理前の特色領域９１は、副走査方向Ｓ２に沿って配置され８列のカラー画素列Ｌ１，Ｌ２，Ｌ３，Ｌ４，Ｌ５，Ｌ６，Ｌ７，Ｌ８で構成される。カラー画素列Ｌ１，Ｌ２，Ｌ３，Ｌ４，Ｌ６，Ｌ７，Ｌ８（カラー画素列Ｌ５を除くカラー画素列Ｌｎ）では、色座標αのカラー画素Ｐ又は白色のカラー画素Ｐのいずれかが主走査方向Ｓ１に沿って配置され、カラー画素列Ｌ５では、色座標αのカラー画素Ｐが主走査方向Ｓ１に沿って配置されている。
なお、色座標αのカラー画素Ｐが主走査方向Ｓ１に沿って配置されたカラー画素列Ｌ５は、主走査方向Ｓ１に延びる罫線パターンを形成し、「罫線」の一例である。
【００６４】
図６に示すように、間引き処理部４３は、図５に示すカラー画素列Ｌ１，Ｌ２，Ｌ３，Ｌ４，Ｌ５，Ｌ６，Ｌ７，Ｌ８で構成される間引き処理前のデータから、カラー画素列Ｌ２，Ｌ４，Ｌ６，Ｌ８のデータを間引き、カラー画素列Ｌ１，Ｌ３，Ｌ５，Ｌ７で構成される間引き処理後のデータを作成する。
図７に示すように、間引き処理部４３は、図５に示すカラー画素列Ｌ１，Ｌ２，Ｌ３，Ｌ４，Ｌ５，Ｌ６，Ｌ７，Ｌ８で構成される間引き処理前のデータから、カラー画素列Ｌ１，Ｌ３，Ｌ５，Ｌ７のデータを間引き、カラー画素列Ｌ２，Ｌ４，Ｌ６，Ｌ８で構成される間引き処理後のデータを作成する。
図６及び図７に示す間引き処理は、二つのカラー画素列Ｌｎで構成されるデータから、二つのカラー画素列Ｌｎの一方のデータを間引き（削減し）、二つのカラー画素列Ｌｎの他方のデータに間引く処理であり、「単純間引き」の一例である。以降、図６及び図７に示す間引き処理を、単純間引き処理と称す。
【００６５】
図６及び図７に示す単純間引き処理後の特色領域９１は、図５に示す間引き処理前の特色領域９１と同様に、色座標αのカラー画素Ｐ又は白色のカラー画素Ｐのいずれかで構成される。すなわち、図６及び図７に示す単純間引き処理では、間引き処理前の色座標αのＲＧＢ値が反映されるので、単純間引き処理によって色座標αのＲＧＢ値が変化することはない。
このように、間引き処理部４３によって単純間引き処理された特色領域９１は、カラー画素Ｐの色座標αが変化しないので、色変換部４４は、画像データ９０に含まれる特色（画素Ｐの色座標α）を特定条件に置き換える特色置換を行い、印刷データ生成部４５は、特色を実現可能な特定条件に基づく印刷データを生成する。すると、印刷装置１２０は、特色を実現可能な特定条件に基づく印刷データから成果物を作成するので、成果物の特色領域９１において特色を実現することができる。
【００６６】
仮に、解像度変換部４１によって間引き処理された特色領域９１において、カラー画素Ｐの色座標αが変化すると、色変換部４４は、画像データ９０に含まれる特色（カラー画素Ｐの変化した色座標）を、特色を実現可能な特定条件でなく、特色を実現不可能な標準条件でインク量データを設定することになり、印刷装置１２０が作成する成果物の特色領域９１において、特色を実現することができなくなる。
従って、成果物の特色領域９１において特色を実現するためには、画像データ９０の特色を含む特色領域９１において解像度変換部４１の間引き処理部４３が実施する間引き処理は、単純間引き処理が好ましい。
本実施形態では、画像データ９０の特色を含む特色領域９１に罫線パターンが含まれない場合、画像データ９０の特色を含む特色領域９１は単純間引き処理が行われる。換言すれば、間引き処理部４３は、画像データの解像度を第１の解像度（７２０×７２０ｄｐｉ）から第１の解像度（７２０×７２０ｄｐｉ）よりも低い第２の解像度（７２０×３６０ｄｐｉ）に変換する間引き処理を行う場合に、特色（第１の色）を含む特色領域（所定領域）に対して、単純間引き処理を行う。
【００６７】
図６に示す単純間引き処理では、罫線パターンのカラー画素列Ｌ５が間引かれないので、図６に示す単純間引き処理に基づき印刷装置１２０が作成する成果物では、罫線パターンが形成され、罫線パターンが失われない。一方、図７に示す単純間引き処理では、罫線パターンのカラー画素列Ｌ５が間引かれるので、図７に示す単純間引き処理に基づき印刷装置１２０が作成する成果物では、罫線パターンが失われる。
このように、間引き処理前の画像データ９０に罫線（カラー画素列Ｌ５）が含まれる場合、単純間引き処理によって罫線パターン（カラー画素列Ｌ５）が間引かれ、成果物において罫線が失われるおそれある。
【００６８】
図８に示すように、間引き処理部４３は、図５に示すカラー画素列Ｌ１，Ｌ２，Ｌ３，Ｌ４，Ｌ５，Ｌ６，Ｌ７，Ｌ８で構成される間引き処理前のデータから、カラー画素列Ｌ１とカラー画素列Ｌ２とを平均したカラー画素列Ｌ１２と、カラー画素列Ｌ３とカラー画素列Ｌ４とを平均したカラー画素列Ｌ３４と、カラー画素列Ｌ５とカラー画素列Ｌ６とを平均したカラー画素列Ｌ５６と、カラー画素列Ｌ７とカラー画素列Ｌ８とを平均したカラー画素列Ｌ７８とを新たに作成し、カラー画素列Ｌ１２，Ｌ３４，Ｌ５６，Ｌ７８で構成されるデータを作成する。
図８に示す間引き処理は、二つのカラー画素列（カラー画素列Ｌｎ、カラー画素列Ｌｎ＋１）を平均して、新たに一つのカラー画素列（カラー画素列Ｌｎ，ｎ＋１）を作成することでデータを削減する処理であり、「平均間引き」の一例である。以降、図８に示す間引き処理を、平均間引き処理と称す。
なお、詳細は後述するが、画像データ９０の特色を含む特色領域９１に罫線パターンが含まれる場合、画像データ９０の特色を含む特色領域９１は、単純間引き処理又は平均間引き処理のいずれかが行われる。
【００６９】
カラー画素列Ｌｎに色座標αのカラー画素Ｐが配置され、カラー画素列Ｌｎ＋１に色座標αのカラー画素Ｐが配置される場合、二つのカラー画素列（カラー画素列Ｌｎ、カラー画素列Ｌｎ＋１）を平均したカラー画素列Ｌｎ，ｎ＋１におけるカラー画素ＰのＲＧＢ値は、色座標α（１００、１２０、８０）である。
カラー画素列Ｌｎに白色のカラー画素Ｐが配置され、カラー画素列Ｌｎ＋１に白色のカラー画素Ｐが配置される場合、二つのカラー画素列（カラー画素列Ｌｎ、カラー画素列Ｌｎ＋１）を平均したカラー画素列Ｌｎ，ｎ＋１におけるカラー画素ＰのＲＧＢ値は、白色のＲＧＢ値（２５５、２５５、２５５）である。
カラー画素列Ｌｎに色座標αのカラー画素Ｐ（ＲＧＢ値（１００、１２０、８０）が配置され、カラー画素列Ｌｎ＋１に白色のカラー画素Ｐ（ＲＧＢ値（２５５、２５５、２５５）が配置される場合、二つのカラー画素列（カラー画素列Ｌｎ、カラー画素列Ｌｎ＋１）を平均したカラー画素列Ｌｎ，ｎ＋１におけるカラー画素ＰのＲＧＢ値は、色座標β（１７８、１８８、１６８）である。
このように、二つのカラー画素列（カラー画素列Ｌｎ、カラー画素列Ｌｎ＋１）を平均して新たに一つのカラー画素列（カラー画素列Ｌｎ，ｎ＋１）を作成する平均間引き処理では、色座標αのカラー画素Ｐと異なる色座標βのカラー画素Ｐが形成される場合がある。
【００７０】
色座標αのカラー画素Ｐでは、色変換部４４は、特色を実現可能な特定条件でインク量データを設定し、印刷データ生成部４５は、特色を実現可能な特定条件に基づく印刷データを生成するので、成果物の特色領域９１において特色が実現される。
一方、色座標βのカラー画素Ｐでは、色変換部４４は、特色を実現不可能な標準条件でインク量データを設定し、印刷データ生成部４５は、特色を実現不可能な標準条件に基づく印刷データを生成するので、成果物の特色領域９１において特色が実現されない。
よって、図８に示す平均間引き処理では、成果物の特色領域９１に、ユーザーが要求する特色が実現される部分と、ユーザーが要求する特色が実現されない部分とが混在するようになるので、厳密に成果物に特色を実現することが難しくなる。従って、印刷装置１２０が作成する成果物の特色領域９１において、特色を厳密に実現するためには、画像データ９０の特色を含む特色領域９１において解像度変換部４１の間引き処理部４３が実施する間引き処理は、平均間引き処理よりも、単純間引き処理の方が好ましい。
【００７１】
一方、図８に示す平均間引き処理では、カラー画素列Ｌ５とカラー画素列Ｌ６とを平均したカラー画素列Ｌ５６では、色座標αのカラー画素Ｐ又は色座標βのカラー画素Ｐのいずれかが主走査方向Ｓ１に沿って配置されるので、主走査方向Ｓ１に延びる罫線パターンが形成される。
すなわち、二つのカラー画素列（カラー画素列Ｌｎ、カラー画素列Ｌｎ＋１）を平均して新たに一つのカラー画素列（カラー画素列Ｌｎ，ｎ＋１）を作成する平均間引き処理では、平均間引き処理前の画像データ９０における罫線パターンが反映され、成果物において罫線パターンが失われるおそれがなく、成果物において厳密に罫線パターンを形成することができる。
上述したように、単純間引き処理では、罫線パターン（カラー画素列Ｌ５）が間引かれ、成果物において罫線が失われるおそれあるので、成果物において厳密に罫線パターンを形成するためには平均間引き処理が好ましい。
【００７２】
本実施形態では、画像データ９０の通常領域９３は平均間引き処理が行われる。換言すれば、間引き処理部４３は、通常領域（所定領域以外の領域）に対して、平均間引き処理を行う。
成果物の通常領域９３は、特色が含まれないので、厳密に特色を実現する必要はない。さらに、成果物の通常領域９３は、罫線パターンを含む場合があるので、画像データ９０の通常領域９３における間引き処理は、厳密に罫線を形成可能な間引き処理が好ましい。すなわち、画像データ９０の通常領域９３において間引き処理部４３が実施する間引き処理は、平均間引き処理が好ましい。
なお、画像データ９０の通常領域９３では、色変換部４４はデフォルトで設定される標準条件でインク量データを設定することになる。デフォルトで設定される標準条件は、成果物において厳密に特色を実現することができないが、成果物において実用に供することができる高品位の色を実現することができる。従って、画像データ９０の通常領域９３において、間引き処理部４３が平均間引き処理を実施すると、色変換部４４が標準条件によってインク量データを設定するので、印刷装置１２０は、厳密に罫線が形成され、さらに実用に供することができる高品位の成果物を形成することができる。
【００７３】
印刷システム１００では、画像生成装置１３０から受け取る画像データ９０（間引き処理前の画像データ９０）の特色領域９１において色座標αのカラー画素Ｐの罫線パターン（以降、特色の罫線と称す）が含まれる場合、ユーザーインターフェイス５２は、特色領域９１に特色の罫線が含まれることを表示し、ユーザーに報知する。すなわち、ユーザーインターフェイス５２は、特色領域９１に特色の罫線が含まれることをユーザーに報知する報知部を兼ねる。
なお、ユーザーインターフェイス５２で表示して報知する構成の他に、パトライト（登録商標）の光やブザーの音などによって報知する構成であってもよい。
【００７４】
さらに、ユーザーインターフェイス５２は、特色領域９１に特色の罫線が含まれることを報知した後、特色の罫線が含まれる特色領域９１に対して、単純間引き処理を実施するのか、平均間引き処理を実施するのかを選択する選択画面を表示する。ユーザーは、成果物の特色領域９１において罫線よりも特色が重要であると考えた場合に単純間引き処理を選択し、成果物の特色領域９１において特色よりも罫線が重要であると考えた場合に平均間引き処理を選択する。
【００７５】
このように、印刷システム１００では、画像データ９０の特色を含む特色領域９１に特色の罫線が含まれる場合、画像データ９０の特色を含む特色領域９１において単純間引き処理又は平均間引き処理の何れかが行われ、画像データ９０の特色を含む特色領域９１に特色の罫線が含まれない場合、画像データ９０の特色を含む特色領域９１おいて単純間引き処理が自動的に行われる。
さらに、印刷システム１００では、画像データ９０の通常領域９３において平均間引き処理が自動的に行われる。
【００７６】
ユーザーが、色入力部４２に登録されている特色一覧から所望の特色Ｎｏ（特色、特定条件）を選択すると、印刷システム１００は、選択された特色Ｎｏ（特色名）から、画像データ９０の特色が含まれる部分（特色領域９１）を自動的に設定し、成果物の特色領域９１において特色が実現されるように、色変換部４４は、特色領域９１において、特色を特定条件に置き換える特色置換を実施する。
すなわち、ユーザーが、色入力部４２に登録されている特色一覧から所望の特色Ｎｏを選択すると、画像データ９０の特色に対して、特色を特定条件に置き換える特色置換が実施される。
【００７７】
ところが、ユーザーが選択した特色の汎用性が高い場合、例えば、図４に示す画像データ９０において、会社のシンボルマーク９２以外のパターンに特色が含まれる場合がある。この場合、成果物の会社のシンボルマーク９２だけに特色が実現されるのでなく、成果物の会社のシンボルマーク９２以外のパターンにおいても特色が実現されるようになる。例えば、特色置換がなされた会社のシンボルマーク９２以外のパターンの影響が強くなると、会社のシンボルマーク９２が目立ちにくくなるという不具合が生じる。
このため、印刷システム１００は、画像データ９０の特色が含まれる部分（特色領域９１）を装置側で自動的に設定するモードに加えて、画像データ９０の特色が含まれる部分（特色領域９１）をユーザーが設定するモードを選択できるようになっている。すなわち、画像生成装置１３０から受け取る画像データ９０をユーザーインターフェイス５２に表示させ、ユーザーがユーザーインターフェイス５２に表示された画像データ９０からユーザーが特色領域９１を設定可能になっている。
このように、印刷システム１００は、ユーザーがユーザーインターフェイス５２を介して特色領域９１（所定領域）を設定可能な構成を有している。
【００７８】
なお、画像処理装置１１０と印刷装置１２０とが別々に構成されるのでなく、印刷装置１２０が画像処理装置１１０を備える構成であってもよい。すなわち、印刷装置１２０は、ホスト制御部４０と、画像データ入力部５１と、ユーザーインターフェイス５２と、記憶部５３とをさらに有し、画像生成装置１３０の画像データを直接取得する構成であってもよい。
【符号の説明】
【００７９】
２…繰出部、３…印刷部、４…乾燥部、５…巻取部、８…シート搬送部、９…メンテナンス部、１０…プリンター制御部、４０…ホスト制御部、４１…解像度変換部、４２…色入力部、４３…間引き処理部、４４…色変換部、４５…印刷データ生成部、５１…画像データ入力部、５２…ユーザーインターフェイス、５３…記憶部、５５，５６…バス、１００…印刷システム、１１０…画像処理装置、１２０…印刷装置、１３０…画像生成装置。
【図１】
2019003240.tif 000003
【図２】
2019003240.tif 000004
【図３】
2019003240.tif 000005
【図４】
2019003240.tif 000006
【図５】
2019003240.tif 000007
【図６】
2019003240.tif 000008
【図７】
2019003240.tif 000009
【図８】
2019003240.tif 000010